(57)【要約】  【課題】従来に比べてゴルフクラブヘッド１３の肉厚を薄くし、設計自由度を大きくすることができるゴルフクラブヘッド１１およびその製造方法を提供する。  【解決手段】ゴルフクラブヘッド本体１１にゴルフボールを打撃するフェース面を形成するフェース部材１３が装着されて構成されるゴルフクラブヘッド１０である。前記フェース部材１３は前記ゴルフクラブヘッド本体１１に対して前記フェース面に平行な方向に沿って挿入されて固定されている。前記ゴルフクラブヘッド本体１１は、前記フェース部材１３と係合して装着位置を規制する本体側係合部と、前記本体側係合部に沿って、前記フェース部材のフェース面に平行に挿入された前記フェース部材を固定する本体側固定部とを有する。前記フェース部材１３は、前記本体側係合部と係合するフェース側係合部と、前記本体側固定部と協働して自身を固定するフェース側固定部とを縁に有する。【選択図】図１
2005279160.tif 000002
【特許請求の範囲】
【請求項１】
ゴルフクラブヘッド本体にゴルフボールを打撃するフェース面を形成するフェース部材が装着されて構成されるゴルフクラブヘッドであって、
前記フェース部材は前記ゴルフクラブヘッド本体に対して前記フェース面に平行な方向に沿って挿入されて固定されており、
前記ゴルフクラブヘッド本体は、前記フェース部材と係合して装着位置を規制する本体側係合部と、前記本体側係合部に沿って、前記フェース部材のフェース面に平行に挿入された前記フェース部材を固定する本体側固定部とを有し、
前記フェース部材は、前記本体側係合部と係合するフェース側係合部と、前記本体側固定部と協働して自身を固定するフェース側固定部とを周縁部に有するゴルフクラブヘッド。
【請求項２】
前記ゴルフクラブヘッド本体の前記本体側固定部と、前記フェース部材の前記フェース側固定部とは、ろう付けまたは接着剤により固着されることにより、前記ゴルフクラブヘッド本体と前記フェース部材とが固定される請求項１に記載のゴルフクラブヘッド。
【請求項３】
前記フェース部材の前記フェース側固定部に凹部が形成され、前記凹部と係合する凸部が前記ゴルフクラブヘッド本体の前記本体側係合部に形成されており、この凹部と凸部の係合により前記ゴルフクラブヘッド本体と前記フェース部材とが固定される請求項１に記載のゴルフクラブヘッド。
【請求項４】
前記フェース部材の前記フェース側固定部と前記ゴルフクラブヘッド本体の前記本体側固定部との隙間に位置するかしめ部材により、前記フェース部材と前記ゴルフクラブヘッド本体とが固定される請求項１に記載のゴルフクラブヘッド。
【請求項５】
前記ゴルフクラブヘッド本体は中空構造である請求項１乃至４のいずれか１項に記載のゴルフクラブヘッド。
【請求項６】
前記フェース部材は前記ゴルフクラブヘッド本体と比較して低比重の材料からなる請求項１乃至５のいずれか１項に記載のゴルフクラブヘッド。
【請求項７】
請求項１乃至６のいずれか１項に記載のゴルフクラブヘッドを備えるゴルフクラブを複数本含むゴルフクラブセット。
【請求項８】
ゴルフクラブヘッド本体にゴルフボールを打撃するフェース面を形成するフェース部材が装着されて構成されるゴルフクラブヘッドの製造方法であって、
前記フェース部材と係合して装着位置を規制する本体側係合部と、前記フェース部材を固着する本体側固定部とを有するゴルフクラブヘッド本体、および前記ゴルフクラブヘッド本体の前記本体側係合部と係合するフェース側係合部と、前記ゴルフクラブ本体の前記本体側固定部との間で自身を固定するフェース側固定部とを周縁部に有するフェース部材を予め形成する工程と、
前記フェース部材を前記ゴルフクラブヘッド本体の前記本体側係合部に沿って、前記フェース部材のフェース面に平行な方向から前記ゴルフクラブヘッド本体に挿入する工程と、
前記フェース部材のフェース側固定部と前記ゴルフクラブヘッド本体の本体側固定部とを、ろう材によりろう付けする、または接着剤により接着する工程とを有するゴルフクラブヘッドの製造方法。
【請求項９】
ゴルフクラブヘッド本体にゴルフボールを打撃するフェース面を形成するフェース部材が装着されて構成されるゴルフクラブヘッドの製造方法であって、
前記フェース部材と係合して装着位置を規制する本体側係合部と、前記フェース部材を固着する本体側固定部とを有するゴルフクラブヘッド本体、および前記ゴルフクラブヘッド本体の前記本体側係合部と係合するフェース側係合部と、前記ゴルフクラブ本体の前記本体側固定部との間で自身を固定するフェース側固定部とを周縁部に有するフェース部材を予め形成する工程と、
前記フェース部材を前記ゴルフクラブヘッド本体の前記本体側係合部に沿って、前記フェース部材のフェース面に平行な方向から前記ゴルフクラブヘッド本体に挿入する工程と、
ゴルフクラブヘッド本体の前記本体側固定部に予め形成された凸部を塑性変形して、フェース部材に形成された凹部に係合させる工程とを有するゴルフクラブヘッドの製造方法。
【請求項１０】
ゴルフクラブヘッド本体にゴルフボールを打撃するフェース面を形成するフェース部材が装着されて構成されるゴルフクラブヘッドの製造方法であって、
前記フェース部材と係合して装着位置を規制する本体側係合部と、前記フェース部材を固着する本体側固定部とを有するゴルフクラブヘッド本体、および前記ゴルフクラブヘッド本体の前記本体側係合部と係合するフェース側係合部と、前記ゴルフクラブ本体の前記本体側固定部との間で自身を固定するフェース側固定部とを周縁部に有するフェース部材を予め形成する工程と、
前記フェース部材を前記ゴルフクラブヘッド本体の前記本体側係合部に沿って、前記フェース部材のフェース面に平行な方向から前記ゴルフクラブヘッド本体に挿入する工程と、
前記フェース部材のフェース側固定部と前記ゴルフクラブヘッド本体の本体側固定部との間にかしめ部材を圧入して塑性変形させる工程とを有するゴルフクラブヘッドの製造方法。
【発明の詳細な説明】
【技術分野】
【０００１】
本発明は、ゴルフ用クラブヘッドに関し、特に異種金属を一体に結合させてなる複合メタルヘッドおよびその製造方法に関する。
【背景技術】
【０００２】
近年、アイアンゴルフクラブヘッドにおいて、フェース面の材料を軽くし、設計自由度を大きくすることが盛んに行なわれている。
フェース面の材料を軽量にするため、ゴルフクラブヘッド本体とは異なる金属材料をフェース部材としてゴルフクラブヘッド本体に固着し一体化させる技術等が提案されている。
【０００３】
ところで、異種金属を一体に接合させる方法として、かしめやろう付けなどが知られている。かしめは、２つ以上の部品の密着度を増すために、たがねの先端などを当ててハンマなどで一方の部品を叩き、塑性変形を与えて隙間をなくし接合する（例えば、特許文献１参照。）。また、ろう付けは、母材より融点の低い金属ろうを融かして接合部に流しこみ接合する（例えば、特許文献２参照。）。
【０００４】
【特許文献１】実登３００９７０２号公報
【特許文献２】特開２００２−２８２６５号公報
【発明の開示】
【発明が解決しようとする課題】
【０００５】
しかしながら、フェース部材とゴルフクラブヘッド本体とをかしめにより接合した場合には、ゴルフクラブヘッド本体の一部分を叩いて塑性変形させるので、ゴルフクラブヘッドの強度を保持するためにゴルフクラブヘッドの肉厚が少なくとも部分的に厚くなる。
一方、ろう付けによってフェース面とゴルフクラブヘッド本体とを接合した場合には、金属ろうを流し込む接合面で接触面積を増して、接合強度を保持する必要があるため、ゴルフクラブヘッドの肉厚が厚くなる場合が多く、設計自由度が制限されていた。
本発明は、かかる問題点に鑑みてなされたものであり、従来に比べてゴルフクラブヘッドの肉厚を薄くし、設計自由度を大きくすることができるゴルフクラブヘッドおよびその製造方法を提供することを目的とする。
【課題を解決するための手段】
【０００６】
前記課題を解決するために、本発明は、ゴルフクラブヘッド本体にゴルフボールを打撃するフェース面を形成するフェース部材が装着されて構成されるゴルフクラブヘッドであって、前記フェース部材は前記ゴルフクラブヘッド本体に対して前記フェース面に平行な方向に沿って挿入されて固定されており、前記ゴルフクラブヘッド本体は、前記フェース部材と係合して装着位置を規制する本体側係合部と、前記本体側係合部に沿って、前記フェース部材のフェース面に平行に挿入された前記フェース部材を固定する本体側固定部とを有し、前記フェース部材は、前記本体側係合部と係合するフェース側係合部と、前記本体側固定部と協働して自身を固定するフェース側固定部とを周縁部に有するゴルフクラブヘッドを提供することを目的とする。
また、本発明は、前記ゴルフクラブヘッド本体の前記本体側固定部と、前記フェース部材の前記フェース側固定部とは、ろう付けまたは接着剤により固着されることにより、前記ゴルフクラブヘッド本体と前記フェース部材とが固定される。あるいは、本発明は、前記フェース部材の前記フェース側固定部に凹部が形成され、前記凹部と係合する凸部が前記ゴルフクラブヘッド本体の前記本体側係合部に形成されており、この凹部と凸部の係合により前記ゴルフクラブヘッド本体と前記フェース部材とが固定される。または、本発明は、前記フェース部材の前記フェース側固定部と前記ゴルフクラブヘッド本体の前記本体側固定部との隙間に位置するかしめ部材により、前記フェース部材と前記ゴルフクラブヘッド本体とが固定される。
また、本発明のゴルフクラブヘッド本体は中空構造であることが好ましく、さらにフェース部材はゴルフクラブヘッド本体と比較して低比重の材料からなることが好ましい。
【０００７】
また、本発明は、ゴルフクラブヘッド本体にゴルフボールを打撃するフェース面を形成するフェース部材が装着されて構成されるゴルフクラブヘッドの製造方法であって、前記フェース部材と係合して装着位置を規制する本体側係合部と、前記フェース部材を固着する本体側固定部とを有するゴルフクラブヘッド本体、および前記ゴルフクラブヘッド本体の前記本体側係合部と係合するフェース側係合部と、前記ゴルフクラブ本体の前記本体側固定部との間で固着されるフェース側固定部とを周縁部に有するフェース部材を予め形成する工程と、前記フェース部材を前記ゴルフクラブヘッド本体の前記本体側係合部に沿って、前記フェース部材のフェース面に平行な方向から前記ゴルフクラブヘッド本体に挿入する工程と、前記フェース部材のフェース側固定部と前記ゴルフクラブヘッド本体の本体側固定部とを、ろう材によりろう付けする、または接着剤により接着する工程とを有するゴルフクラブヘッドの製造方法を提供することを目的とする。
また、本発明は、ゴルフクラブヘッド本体にゴルフボールを打撃するフェース面を形成するフェース部材が装着されて構成されるゴルフクラブヘッドの製造方法であって、前記フェース部材と係合して装着位置を規制する本体側係合部と、前記フェース部材を固着する本体側固定部とを有するゴルフクラブヘッド本体、および前記ゴルフクラブヘッド本体の前記本体側係合部と係合するフェース側係合部と、前記ゴルフクラブ本体の前記本体側固定部との間で固着されるフェース側固定部とを周縁部に有するフェース部材を予め形成する工程と、前記フェース部材を前記ゴルフクラブヘッド本体の前記本体側係合部に沿って、前記フェース部材のフェース面に平行な方向から前記ゴルフクラブヘッド本体に挿入する工程と、ゴルフクラブヘッド本体の前記本体側固定部に予め形成された凸部を塑性変形して、フェース部材に形成された凹部に係合させる工程とを有するゴルフクラブヘッドの製造方法を提供することを目的とする。
また、本発明は、ゴルフクラブヘッド本体にゴルフボールを打撃するフェース面を形成するフェース部材が装着されて構成されるゴルフクラブヘッドの製造方法であって、前記フェース部材と係合して装着位置を規制する本体側係合部と、前記フェース部材を固着する本体側固定部とを有するゴルフクラブヘッド本体、および前記ゴルフクラブヘッド本体の前記本体側係合部と係合するフェース側係合部と、前記ゴルフクラブ本体の前記本体側固定部との間で固着されるフェース側固定部とを周縁部に有するフェース部材を予め形成する工程と、前記フェース部材を前記ゴルフクラブヘッド本体の前記本体側係合部に沿って、前記フェース部材のフェース面に平行な方向から前記ゴルフクラブヘッド本体に挿入する工程と、前記フェース部材のフェース側固定部と前記ゴルフクラブヘッド本体の本体側固定部との間にかしめ部材を圧入して塑性変形させる工程とを有するゴルフクラブヘッドの製造方法を提供することを目的とする。
【発明の効果】
【０００８】
本発明のゴルフクラブヘッドは、ゴルフクラブヘッド本体とフェース部材とを備え、ゴルフクラブヘッド本体はフェース部材と係合して装着位置を規制する本体側係合部を有し、フェース部材はゴルフクラブヘッド本体の前記本体側係合部と係合するフェース側係合部を有する。
ゴルフクラブヘッド本体とフェース部材とは、ゴルフクラブヘッド本体の本体側接合部とフェース部材のフェース側接合部とで固着されることにより、固定される。また、ゴルフクラブヘッド本体の本体側係合部とフェース部材のフェース側係合部とは係合構造である。
そのため、本発明のゴルフクラブヘッドは、ゴルフボールを打球する際に生じるフェース面に垂直な方向の応力に対して、物理的に強度を保つことができる。
本発明によれば、フェース部材とゴルフクラブヘッド本体は、本体側接合部およびフェース側接合部において固着されるため、従来のゴルフクラブヘッドと比較して固着箇所または固着領域が少なく、固着箇所または固着領域以外のゴルフクラブヘッド本体の肉厚を薄くでき、設計自由度を大きくすることができるゴルフクラブヘッドおよびその製造方法を提供することができる。ここで設計自由度としては、例えばゴルフクラブヘッドの薄肉化、ゴルフクラブヘッド質量の調整、ゴルフクラブヘッドの重心位置あるいは重心深度の調整などを挙げることができる。
【発明を実施するための最良の形態】
【０００９】
本発明に係るゴルフクラブについて、添付の図面に示す第１実施形態を基に詳細に説明する。図１は本発明のゴルフクラブヘッドの一例を示す模式図であり、図１（ａ）はゴルフクラブヘッドをフェース側から見た正面図であり、図１（ｂ）は図１（ａ）のＡ−Ａ矢視断面図であり、図１（ｃ）は図１（ａ）のＢ−Ｂ矢視断面図である。
【００１０】
図１（ａ）〜（ｃ）に示すように、ゴルフクラブヘッド１０は、太線で示すゴルフボールを打撃するフェース部分が開口されているゴルフクラブヘッド本体１１（以下、ヘッド本体１１という）と、ヘッド本体１１とは別体に成型されるフェース部材１３とを備える。フェース部材１３はヘッド本体１１の開口に対してソール側から挿入され、フェース面に平行な平面上であって、ソール側からクラウン側に向かう方向（以下、スライド方向という）にスライドされて、ソール側の挿入部分（接合部１７）でヘッド本体１１と固着されることにより連結固定される。ヘッド本体１１には、ゴルフクラブシャフト５２（図４参照）と接続するホーゼル１２が一体に形成されている。
図１（ａ）〜（ｃ）に示すように、ヘッド本体１１の開口には、フェース部材１３と係合するフェース側係合部１５がヒール側からクラウンを経てトウ側まで内周面に沿って形成され、図１（ｃ）に示すようにソール側はフェース面に対して、垂直方向に沿ってそのフェース部材１３の厚み分だけ削成されて、接合部１７が形成されている。
フェース部材１３には、ヘッド本体１１の本体側係合部１５と係合するように外周縁にヘッド側係合部１９が形成され、フェース部材１３はソール側からヘッド本体１１に挿入され、ヘッド本体１１のヘッド側係合部１５に沿ってスライドされて、クラウン側のフェース側係合部１５に当接される。
【００１１】
フェース部材１３とヘッド本体１１とは、ヘッド本体１１の接合部１７に沿って流し込まれるろう材によって、挿入部分でろう付けされ固着される。ろう付けに用いられるろう材は、ヘッド本体１１およびフェース部材１３よりも融点の低い金属ろうであり、例えばＡｇ基ろう、Ｔｉ基ろう等を挙げることができる。
【００１２】
フェース部材１３のフェース面に垂直な方向に関して、フェース部材１３のヘッド側係合部１９とヘッド本体１１のフェース側係合部１５とは係合し、フェース部材１３は位置決めされ、フェース部材１３のスライド方向に関して、フェース部材１３はヘッド本体１１のクラウン側の本体側係合部１５に当接され、ソール側の挿入部分（係合部１７）でろう付けによって固着され抜け止め構造になっている。
したがって、フェース部材１３をヘッド本体１１と挿入部分で固着することで、フェース部材１３とヘッド本体１１は連結固定される。
【００１３】
フェース部材１３とヘッド本体１１との固着は、ろう付けの他に接着剤による接着であってもよい。このような接着剤としては、例えば、エポキシ系接着剤、アクリル系接着剤等を挙げることができる。
【００１４】
このようにして、フェース部材１３とヘッド本体１１を固着すると、フェース部材１３のヘッド側係合部１９とヘッド本体１１のフェース側係合部１５とが係合構造であるため、ゴルフボールを打球する際に生じるフェース部材１３に垂直な方向の応力に対して、物理的に強度を保つことができる。
さらに、フェース部材１３とヘッド本体１１は挿入部分において固着されているので、従来のゴルフクラブヘッドと比較して固着箇所が少なく、ヘッド本体１１の固着面の肉厚を薄くでき、ゴルフクラブヘッド質量の軽量化など設計自由度を大きくできる。
【００１５】
本発明のゴルフクラブについて、添付の図面に示す第２実施形態を基に詳細に説明する。
第１実施形態ではフェース部材１３はゴルフクラブヘッド１０下方（ソール側）から挿入されたが、図２（ａ），（ｂ）に示す第２実施形態ではゴルフクラブヘッド上方（クラウン側）からフェース部材は挿入され、かしめによりヘッド本体と固定される。
図２は本発明のゴルフクラブヘッドの一例を示す模式図であり、図２（ａ）はゴルフクラブヘッドをフェース側から見た正面図であり、図２（ｂ）は図２（ｂ）のＣ−Ｃ矢視断面図である。
【００１６】
図２に示す太線はヘッド本体２１とフェース部材２３との境界であり、ヘッド本体２１は太線に沿って開口されており、図２に示すように、その開口の内周面に沿ってヒール側からソールを経てトウ側まで形成される、フェース部材２３と係合するフェース側係合部２９がヘッド本体２１に設けられている。
ヘッド本体２１のクラウン側の開口は、フェース部材２３に垂直な方向に、そのフェース部材２３の厚み分だけ削成されている。このように切り削って形成された部分を挿入部分（接合部２７）という。なお、挿入部分は塑性変形できる部材からなり、図２（ｂ）に示す挿入部分は塑性変形後の形状である。
【００１７】
図２（ｂ）に示すように、フェース部材２３には、ヘッド本体２１の本体側係合部２５と係合するように外周縁にヘッド側係合部２９が形成され、フェース部材２３はソール側からヘッド本体２１に挿入され、ヘッド本体２１のフェース側係合部２５に沿ってフェース面に平行な方向にスライドされて、クラウン側のフェース側係合部２５に当接される。
予めヘッド本体２１の挿入部２７の外周縁に沿って形成された部分をかしめて押しつぶすことにより、フェース部材２３はヘッド本体２１に固定される。なお、フェース部材２３をヘッド本体２１に固定するためには、フェース部２３の挿入側の端部付近の一部分をかしめればよい。
【００１８】
ヘッド本体２１は塑性変形しやすい金属材料、例えばステンレス鋼、ベリリウム銅などからなり、フェース部材２３はヘッド本体２１より低比重の金属材料、例えばチタン、チタン合金、アルミニウム合金やマグネシウム合金、ＦＲＰなどからなる。このようなヘッド本体２１およびフェース部材２３は鋳造、鍛造などにて成型される。
【００１９】
このように、フェース部材２３にヘッド本体２１より低比重な金属材料を用いることにより、ゴルフクラブヘッド２０の重心深度を増大させることができる。
【００２０】
本発明のゴルフクラブについて、添付の図面に示す第３実施形態を基に詳細に説明する。第２実施形態ではヘッド本体２１の一部分をかしめて塑性変形させて、フェース部材２３とヘッド本体２１とを固定するが、図３に示す第３実施形態では、フェース部材とヘッド本体の間にかしめ部材を挿入し、かしめ部材をかしめて塑性変形させて、フェース部材とヘッド本体とを固定する。
図３は、フェース部材とヘッド本体との固着部分の拡大図であり、かしめによる製造方法を説明するための図である。図３（ａ）はかしめ部材が塑性変形する前の状態を示し、図３（ｂ）はかしめ部材が塑性変形した後の状態を示す。第２実施形態と同じ部分には同じ符号を付し、説明を省略する。
【００２１】
ヘッド本体２１は図２に示す太線に沿って開口されており、その開口の内周面に沿ってヒール側からクラウンを経てトウ側まで形成される、フェース部材２３と係合するフェース側係合部２５がヘッド本体２１に設けられている。
フェース部材２３には、ヘッド本体３１の本体側係合部２５と係合するように外周縁にヘッド側係合部２９が形成され、フェース部材２３はソール側からヘッド本体２１に挿入され、ヘッド本体３１のフェース側係合部２５に沿ってフェース面に平行な方向にスライドされて、クラウン側のフェース側係合部２５に当接される。
図３（ａ）に示すように、フェース部材２３およびヘッド本体３１には、ともに凹部３２，３４が形成され、図３（ｂ）に示すように、かしめ部材３８が塑性変形によりフェース部材２３の凹部３２とヘッド本体３１の凹部３４とに密着して、フェース部材２３の抜止めの役割を果たしている。
言い換えれば、フェース部材２３の凹部３２はフェース部材２３の外周縁のバックフェース側に設けられる面取りであり、ヘッド本体３１の凹部３４はヘッド本体３１の挿入部２７の外周縁に沿って切り欠けている。この切欠きは、ヘッド本体２１の開口の外から内に向かって、フェース部材２３の面取りと略平行に傾斜している。
かしめ部材３８は、フェース部材２３の凹部３２とヘッド本体３１の凹部３４とで形成される四辺形の隙間に設置され、かしめて押しつぶすこと（図３（ｂ）参照）により塑性変形される。
【００２２】
ヘッド本体３１は、塑性変形しにくい金属材料、例えばチタン、チタン合金からなり、またフェース部材２３はチタン、チタン合金、タングステン、セラミック、アモルファス金属やマグネシウム合金、ＦＲＰなどからなる。
かしめ部材３８は、フェース部材２３やヘッド本体３１と比較して降伏点が低く塑性変形しやすい金属材料、例えば真鍮、銅、金、銅またはステンレス鋼などからなる。
【００２３】
このように、かしめ部材３８が塑性変形によりフェース部材２３の凹部３２とヘッド本体３１の凹部３４とに密着することにより、フェース部材２３の抜止め機能を果たすので、フェース部材２３とヘッド本体３１とがともに塑性変形し難い材質であっても強固に固定できる。
【００２４】
本発明のゴルフクラブについて、添付の図面に示すその他の実施形態を基に詳細に説明する。図４は、本発明のゴルフクラブヘッドを備えるゴルフクラブを含むアイアンゴルフクラブセットの一例を示す模式図である。
【００２５】
ゴルフクラブセット４０は、３番アイアン（３Ａ）から９番アイアン（９Ａ）およびピッチングウェッジ（ＡＰ）、アプローチウェッジ（ＡＡ）、サンドウェッジ（ＡＳ）までの各番手のアイアン（Ａ３〜ＡＳ）１０本によって構成される。
各アイアンゴルフクラブは、図４中の６番アイアン（Ａ６）に示すようにゴルフクラブシャフト５２の一端にグリップ５４を有し、他端に本発明のゴルフクラブヘッド５０を備える。ゴルフクラブヘッド５０は、ヒール側で上方に向けられて突設されたホーゼル１２にソケットを介してゴルフクラブシャフト５２に連結されている。
【００２６】
ここで、番手は、主にロフト角θの異なったゴルフクラブをロフト角θの順番に並べることのできるように、各ゴルフクラブに付与した数字（自然数）、文字、または記号等によって表されるロフト角θの順番に関する識別情報である。
【００２７】
また、ロフト角θは、図４中の６番アイアン（Ａ６）に示すようにゴルフクラブシャフト軸Ｓとフェース面５３とのなす角であり、ゴルフクラブセット４０内において、一定または略一定の間隔で当業者によって適宜設定されている。
各番手のロフト角θの一例を示すと、アイアンＡ３〜ＡＳのロフト角θは、Ａ３が２１°、Ａ４が２４°、Ａ５が２７°、Ａ６が３０°、Ａ７が３４°、Ａ８が３８°、Ａ９が４２°、ＡＰが４７°、ＡＡが５２°、ＡＳが５７°であり、番手が大きくなるにつれて、ロフト角θが大きくなる。
これらの番手のロフト角θは、Ａ３からＡ６までは３°の刻み幅で大きくなり、Ａ７からＡ９までは４°の刻み幅で大きくなり、ＡＰからＡＳまでは５°の刻み幅で大きくなっている。なお、アイアンＡ３〜ＡＳのロフト角の刻み幅は、この一例に限定されず、３°または４°など一定の刻み幅であってもよい。
【００２８】
また、ゴルフクラブセットでは、一般的にグリップの端部からゴルフクラブヘッドの下端までのゴルフクラブシャフトの長さは、番手が大きくなるにつれ次第に短くなっている。すなわち、番手が小さいものの方がゴルフクラブシャフトの長さが長く、ロフト角が小さくなっている。
【００２９】
このように設計自由度の大きいゴルフクラブヘッド５０を備えるゴルフクラブを含むアイアンゴルフクラブセット４０は、設計自由度が大きいため所望の特性を備えることができる。
【００３０】
上記の実施形態では、ゴルフクラブヘッド５０は中空構造のアイアンゴルフクラブのゴルフクラブヘッド５０を示したが、これに限定されず、ゴルフクラブヘッドの背面（バックフェース）を凹状にしたキャビティを有する中実構造のアイアンゴルフクラブヘッドでもよい。
また、ヘッド本体が有する、フェース面と係合するフェース側係合部は、図１および図２に示すように、フェース部材１３（２３）からバックフェース面に向かって溝が徐々に深くなり、フェース部材１３（２３）の外周面に沿って形成されるヘッド側係合部と係合しているが、ヘッド本体１１（２１）とフェース部材１３（２３）とはスライド可能な係合構造であればよく、例えば、ヘッド本体が凹部を有し、フェース面が凸部を有するスライド可能な係合構造であってもよい。
【００３１】
第１実施形態ではフェース部材１３をヘッド本体１１のソール側から挿入し、第２実施形態ではクラウン側からフェース部材２３を挿入しているが、フェース面の挿入方向に関して特に限定はなく、例えばトウ側またはヒール側から挿入してもよい。
また、フェース面とヘッド本体との固着方法と、フェース面の挿入方向との組み合わせについても特に限定はない。例えばフェース面をソール側から挿入して、かしめ部材を塑性変形することによりフェース面をヘッド本体に固着したり、フェース面をクラウン側から挿入して、ヘッド本体の一部を塑性変形することによりフェース面をヘッド本体に固着したりしてもよい。
また、かしめ部材３８またはヘッド本体の一部（第２実施形態の突出部）をかしめて塑性変形させたが、プレス形成機などによって塑性変形させてもよい。
【００３２】
以上、本発明のゴルフクラブヘッドについて詳細に説明したが、本発明は、以上の実施形態に限定されるものではなく、本発明の要旨を逸脱しない範囲において、各種の改良や変更を行ってもよい。
【図面の簡単な説明】
【００３３】
【図１】本発明のゴルフクラブヘッドの第１実施形態を示す模式図である。
【図２】本発明のゴルフクラブヘッドの第２実施形態を示す模式図である。
【図３】第３実施形態におけるフェース面とヘッド本体との固着部分の拡大図である。
【図４】本発明のゴルフクラブヘッドを備えるゴルフクラブを含むアイアンゴルフクラブセットの一例を示す模式図である。
【符号の説明】
【００３４】
１１，２１  ゴルフクラブヘッド本体
１０，２０，５０  ゴルフクラブヘッド
１２  ホーゼル
１３，２３  フェース部材
【図１】
2005279160.tif 000003
【図２】
2005279160.tif 000004
【図３】
2005279160.tif 000005
【図４】
2005279160.tif 000006